(57)【要約】【課題】  回路の短絡を防止しつつ、プローブなどによる信号検出も可能にするジャンパコネクタを提供することを目的とする。【解決手段】  プリント基板上の複数の端子を電気的に接続する導線２と、導線２を挿通するための貫通孔３４が所定間隔をおいて並設された基部３１、及び貫通孔３４が並設された方向に沿って基部３１から突設された側壁３２、３３を備えた絶縁性の台座部材３と、を備え、導線２は、貫通孔３４に対して側壁３２、３３が突設された側から挿通されるジャンパコネクタ１である。【選択図】  図１
2006324157.tif 000002
【特許請求の範囲】
【請求項１】
プリント基板上の複数の端子を電気的に接続する導線と、
前記導線を挿通するための貫通孔が所定間隔をおいて並設された基部、及び前記貫通孔が並設された方向に沿って前記基部から突設された側壁を備えた絶縁性の台座部材と、を備え、
前記導線は、前記側壁が突設された側から前記貫通孔に挿通されるジャンパコネクタ。
【請求項２】
請求項１記載のジャンパコネクタにおいて、側壁が基部の両側縁から突設され、台座部材の断面がコの字型を有することを特徴とするジャンパコネクタ。
【請求項３】
請求項１又は２記載のジャンパコネクタにおいて、台座部材には所定間隔おきに切断または折断可能な切断部が設けられていることを特徴とするジャンパコネクタ。
【請求項４】
請求項３記載のジャンパコネクタにおいて、切断部が、隣接する貫通孔の間に設けられたことを特徴とするジャンパコネクタ。
【発明の詳細な説明】
【技術分野】
【０００１】
本発明は、プリント基板上に設けられた二つの接触子の間を電気的に接続するジャンパコネクタに関するものである。
【背景技術】
【０００２】
各種電気機器の電気回路の構成にあたって、プリント基板が用いられる。プリント基板の回路設計においては、回路変更がされる場合があり、その場合にはジャンパコネクタを所定の基板の回路部に挿入し変更を行っている。従来のジャンパコネクタとしては、（特許文献１）及び（特許文献２）に示すように、金属薄板を折曲げて形成されたものが知られている。
【０００３】
しかしながら、上述の（特許文献１）及び（特許文献２）に示すようなジャンパコネクタは金属薄板をむき出しのまま使うため、両面に回路パターンが形成されたプリント基板のように表面に回路パターンが形成されている場合にはジャンパコネクタと回路とが接触して短絡してしまうおそれがあった。そのため、従来、絶縁チューブなどで被覆されたジャンパコネクタが用いられていた。
【０００４】
【特許文献１】特開平１０−３４０７４７号公報
【特許文献２】特開平８−３１４８３号公報
【発明の開示】
【発明が解決しようとする課題】
【０００５】
しかしながら、上述のようなジャンパコネクタは導電部分が絶縁チューブなどで完全に被覆されているためプローブなどによる信号の確認を行うことができなかった。特に、回路変更を行った場合にはプローブなどによる信号の確認等が必要であり、従来型のジャンパコネクタでは信号の確認を行うことができず不十分であった。
【０００６】
そこで、本発明は上述のような課題を解決するため、回路の短絡を防止しつつ、プローブなどによる信号検出も可能にするジャンパコネクタを提供することを目的とする。
【課題を解決するための手段】
【０００７】
上記課題を解決するため、本発明のジャンパコネクタは、請求項１として、プリント基板上の複数の端子を電気的に接続する導線と、前記導線を挿通するための貫通孔が所定間隔をおいて並設された基部、及び前記貫通孔が並設された方向に沿って前記基部から突設された側壁を備えた絶縁性の台座部材と、を備え、前記導線は、前記側壁が突設された側から前記貫通孔に挿通されることを特徴とする。
【０００８】
上記構成によれば、導線が、側壁が突設された側から、絶縁性の台座部材に設けられた貫通孔に挿通されるのでプリント基板上の回路パターンと接触して短絡するのが防止される。また、導線は、基部の側壁が突設された側では露出しているので、プローブ等を用いて信号の確認などを行うことができる。
【０００９】
また、請求項２は、請求項１記載のジャンパコネクタにおいて、側壁が基部の両側縁から突設され、台座部材の断面がコの字型を有することを特徴とする。
【００１０】
上記構成によれば、側壁が基部の両側縁から突設されており、上面が開いたコの字型を有するので、導線にプローブを当てることができる。また、両側縁から側壁が突設されるのでプローブを導線に当てる際のガイドとなるとともに、プローブを当てた際に安定して接触させることが可能となる。
【００１１】
また、請求項３は、請求項１又は２記載のジャンパコネクタにおいて、台座部材には所定間隔おきに切断または折断可能な切断部が設けられていることを特徴とする。
【００１２】
また、請求項４は、請求項３記載のジャンパコネクタにおいて、切断部が、隣接する貫通孔の間に設けられたことを特徴とする。
【００１３】
上記構成によれば、台座部材には、所定間隔おきに切断または折断ができるように切断面が設けられているので、接続するプリント基板上の端子間の長さに応じて適宜長さの台座部材を得ることができる。
【発明の効果】
【００１４】
本発明のジャンパコネクタによれば、導線が、絶縁性の基部に設けられた貫通孔に側壁が突設された側から挿通されるので、プリント基板上の回路パターンと導線とが接触して短絡するのが防止される。また、導線は、基部の側壁が突設された側では露出しているので、プローブ等を用いて信号の確認などを行うことができる。すなわち、本発明のジャンパコネクタによれば、プリント基板上の回路の短絡を防止しつつ、プローブなどによる信号検出も可能になる。
【発明を実施するための最良の形態】
【００１５】
以下、本発明を実施するための最良の形態について詳細に説明する。
まず、本発明のジャンパコネクタの実施の形態（１）について図１〜４に基づいて説明する。図１及び図２は、実施の形態（１）に係るジャンパコネクタを示す斜視図及び平面図である。図３は、図２のＡ−Ａ断面図である。実施の形態（１）に係るジャンパコネクタ１は、図１に示すように、基部３１と基部３１から突設された側壁３２、３３とを備えた絶縁性の台座部材３と、台座部材３に装着される導線２と、から構成される。
【００１６】
導線２は、プリント基板上の複数の接触子を電気的に接続するためのものである。そして、導線２は、図３に示すように、主体部２３と、主体部２３から突設された脚部２１、２２とを有しており、コの字形に形成されている。そして、脚部２１、２２の間隔は、プリント基板のピッチの倍数に合致する距離となっている。
【００１７】
台座部材３は、導線２の主体部２３がプリント基板に電気的に接触しないようにするためのもので、絶縁性の樹脂などが用いられる。そして、台座部材３は、図１に示すように、基部３１と基部３１の両側縁から突設された側壁３２、３３とを備えており、台座部材３の断面はコの字型を有している。
【００１８】
基部３１には、導線２の脚部２１、２２を挿通するための貫通孔３４が所定間隔をおいて並設されている。隣接する貫通孔３４の間隔は、プリント基板のピッチに合った距離となっている。そして、各貫通孔３４には、基部３１の側壁３２、３３が設けられた面から、導線２の脚部２１、２２が挿通される。なお、導線２の脚部２１、２２の貫通孔３４への挿通は、導線２の主体部２３が側壁３２、３３の凹部に接するまで行われる。
【００１９】
また、側壁３２、３３は、貫通孔３４が並設された方向に沿って基部３１の両側縁から突設されたものであり、側壁３２、３３の間の凹部に導線２が保護される。すなわち、導線２の両側に側壁３２、３３が設けられるので、導線２がプリント基板上の他の端子などと接触する可能性が減少する。そして、プローブＳ等を用いて信号の確認を行う際にも、プローブＳは側壁３２、３３により支持することができ、安定した状態で測定を行うことが可能となる。
【００２０】
また、台座部材３には、所定間隔おきに切断又は折断するための切断部３６が設けられている。具体的には、隣接する貫通孔３４同士の間の中心位置において基部３１から側壁３２、３３まで外周に渡って凹部３５が設けられており、台座部材３が肉薄に形成されることで切断部３６が設けられている。これにより、台座部材３を容易に切断又は折断することができ、台座部材３の大きさを使用目的に応じて簡単に調整できるようになっている。
【００２１】
上記実施の形態（１）に係るジャンパコネクタ１を実際にプリント基板上に取付けた使用状態図を図４に示す。図４に示すように、ジャンパコネクタ１はプリント基板Ｐの取付孔Ｑに実装されている。具体的には、導線２の脚部２１、２２がプリント基板Ｐの取付孔Ｑに半田付けにより固定されている。そして、実際にジャンパコネクタ１をプリント基板上に実装した際には、プローブＳ等を用いて信号の確認を行い、回路が正常に動作するかどうかを確認する。
【００２２】
上記実施の形態（１）に係るジャンパコネクタ１によれば、導線２の脚部２２が側壁３２、３３が突設された側から貫通孔３４に挿通され、導線２の主体部２３とプリント基板との間に絶縁性の台座部材３が設けられるので、プリント基板上の回路パターンと導線２とが接触して短絡するのが防止される。
【００２３】
また、導線２の主体部２３は、側壁３２、３３の間の凹部に備えられており、上面が開放されているので、プローブ等を側壁３２、３３の間に挿入し導線２の主体部２３に接触させるなどして信号の確認などを行うことができる。また、基部３１の両側縁から突設された側壁３２、３３は、プローブを導線２の主体部２３に当てる際のガイドとなり、迅速に測定を行うことが可能となる。また、プローブは、導線２の主体部２３に当てた際に側壁３２、３３により支持させることができ、安定した状態で信号の確認などの測定を行うことが可能となる。
【００２４】
また、台座部材３には所定間隔おきに切断または折断可能な切断部３６が設けられているので、接続するプリント基板上の端子間の長さに応じて適当な長さの台座部材３を得ることができる。
【００２５】
続いて、実施の形態（２）に係るジャンパコネクタについて図５及び６に基づいて説明する。ジャンパコネクタ１Ａは、台座部材３Ａが、実施の形態（１）で用いた台座部材３と比較して長手方向の長さが短い点で異なる。また、導線２Ａの主体部２３Ａの長さが実施の形態（１）で用いた導線２と比較して短く、プリント基板の取付孔のピッチ間隔と同じである。そして、台座部材３Ａには、隣接する貫通孔３４Ａ同士の中央部において、基部３１Ａから側壁３２Ａ、３３Ａまで外周に渡って凹部３５Ａが設けられ、台座部材３Ａが肉薄に形成される。このような台座部材３Ａは、実施の形態（１）で用いた台座部材３を切断部３６から切断することによっても得ることが可能である。
【図面の簡単な説明】
【００２６】
【図１】実施の形態（１）に係るジャンパコネクタを示す斜視図である。
【図２】実施の形態（１）に係るジャンパコネクタを示す平面図である。
【図３】図２のＡ−Ａ断面図である。
【図４】実施の形態（１）に係るジャンパコネクタの使用状態を表す図である。
【図５】実施の形態（２）に係るジャンプコネクタを示す斜視図である。
【図６】実施の形態（２）に係るジャンパコネクタを示す平面図である。
【符号の説明】
【００２７】
１、１Ａ                    ジャンパコネクタ
２、２Ａ                    導線
２１、２１Ａ、２２、２２Ａ  脚部
２３、２３Ａ                主体部
３、３Ａ                    台座部材
３１、３１Ａ                基部
３２、３２Ａ、３３、３３Ａ  側壁
３４、３４Ａ                貫通孔
３５、３５Ａ                凹部
３６、２６Ａ                切断部
Ｐ                プリント基板
Ｑ                取付孔
Ｒ                部品端子
Ｓ                プローブ
【図１】
2006324157.tif 000003
【図２】
2006324157.tif 000004
【図３】
2006324157.tif 000005
【図４】
2006324157.tif 000006
【図５】
2006324157.tif 000007
【図６】
2006324157.tif 000008